(57)【特許請求の範囲】
【請求項１】
所定の撮影条件を選定するための選定ダイヤルをカメラボディ上に回転操作可能に設けたカメラの撮影条件選定装置において、
選定ダイヤルが特定の回転位置にある状態において、該選定ダイヤルに正逆の所定角度内の回転操作力を与えた後この回転操作力を解放したとき該選定ダイヤルを上記特定回転位置に自動復帰させる自動復帰手段と；
選定ダイヤルの上記特定回転位置からの正逆の回転操作の度に動作するアップダウンスイッチと；
を有し、
上記選定ダイヤルは、上記特定回転位置を含む予め定められた複数の回転位置の各々に位置することができ、該選定ダイヤルが上記特定回転位置以外の回転位置にあるときは、その回転位置に応じた撮影条件が選定され、
上記自動復帰手段は、クリックボールと、上記複数の回転位置にそれぞれ対応する複数のクリックボール係入孔を有するクリック板とを有し、
上記複数のクリックボール係入孔のうち、上記選定ダイヤルが上記特定回転位置にあるときに上記クリックボールが係入するクリックボール係入孔は、略ひし型形状の係入孔であることを特徴とするカメラの撮影条件選定装置。
【請求項２】
請求項１に記載のカメラの撮影条件選定装置において、選定ダイヤルは、シャッタ速度を選定するためのＴｖダイヤルであり、アップダウンスイッチは、シャッタ速度の変更スイッチであるカメラの撮影条件選定装置。
【請求項３】
請求項１に記載のカメラの撮影条件選定装置において、選定ダイヤルは、露出補正値を選定するための露出補正ダイヤルであり、アップダウンスイッチは、露出補正値の変更スイッチであるカメラの撮影条件選定装置。
【請求項４】
請求項２に記載のカメラの撮影条件選定装置において、アップダウンスイッチは、１秒を超えるシャッタ速度を選定するスイッチであるカメラの撮影条件選定装置。
【請求項５】
請求項１ないし４のいずれか一項に記載のカメラの撮影条件選定装置において、さらに自動復帰手段は、上記クリックボールを上記係入孔に向けて付勢する付勢手段を有するカメラの撮影条件選定装置。
【発明の詳細な説明】
【０００１】
【技術分野】
本発明は、所定の撮影条件を選定するための選定ダイヤルをカメラボディ上に回転操作可能に設けたカメラの撮影条件選定装置に関する。
【０００２】
【従来技術及びその問題点】
従来、カメラボディ上に設けられた選定ダイヤル（Ｔｖダイヤル、露出補正ダイヤル等）を手動で回転操作することによって希望の撮影条件（シャッタ速度、露出補正値等）を任意に選択できるタイプのカメラが知られている。このようなカメラでは、選定ダイヤルのクリックストップ位置を増加させることによって、選択できる撮影条件の数を増加させることは可能であるが、クリックストップ位置の数を増加させるにも限界がある。
【０００３】
【発明の目的】
本発明は、以上のような従来の問題点に鑑みてなされたもので、多くの構成部品を必要とせず、かつ選定ダイヤルの限られたスペースで多数の撮影条件から希望の撮影条件を任意に選択することを可能にする、カメラの撮影条件選定装置を提供することを目的とする。
【０００４】
【発明の概要】
本発明は、所定の撮影条件を選定するための選定ダイヤルをカメラボディ上に回転操作可能に設けたカメラの撮影条件選定装置において、選定ダイヤルが特定の回転位置にある状態において、該選定ダイヤルに正逆の所定角度内の回転操作力を与えた後この回転操作力を解放したとき該選定ダイヤルを上記特定回転位置に自動復帰させる自動復帰手段と；選定ダイヤルの上記特定回転位置からの正逆の回転操作の度に動作するアップダウンスイッチと；を有し、上記選定ダイヤルは、上記特定回転位置を含む予め定められた複数の回転位置の各々に位置することができ、該選定ダイヤルが上記特定回転位置以外の回転位置にあるときは、その回転位置に応じた撮影条件が選定され、上記自動復帰手段は、クリックボールと、上記複数の回転位置にそれぞれ対応する複数のクリックボール係入孔を有するクリック板とを有し、上記複数のクリックボール係入孔のうち、上記選定ダイヤルが上記特定回転位置にあるときに上記クリックボールが係入するクリックボール係入孔は、略ひし型形状の係入孔であることを特徴としている。
【０００５】
【発明の実施の形態】
以下図示実施形態に基づいて本発明を説明する。図８は、本発明の撮影条件選定装置を適用した一眼レフカメラのカメラボディ１０を示している。カメラボディ１０の前面には、交換レンズ（図示せず）を装着するためのボディマウント１２が設けられており、カメラボディ１０の上部中央には、外部ストロボ（図示せず）を装着するためのホットシュー１４が設けられている。またカメラボディ１０の上部左右には、シャッタ速度選定用のＴｖダイヤル１６と、露出補正値選定用の露出補正ダイヤル１８とが設けられている。露出補正ダイヤル１８の近傍にはレリーズ釦２０が設けられている。レリーズ釦２０の背後には、シャッタ速度、絞り値、露出補正値、フィルム残数、ストロボ情報等の撮影情報を表示する液晶表示パネル２２が設けられている。
【０００６】
図１に拡大して示すように、Ｔｖダイヤル１６の上面には、時計回り方向に１、２、４、８、１５、３０、６０、１２５、２５０、５００、１０００、Ａ、Ｘ、Ｂ、及び▲▼が順に印字されている。１、２、４、８、１５、３０、６０、１２５、２５０、５００、１０００の数値はそれぞれ１秒、１／２秒、１／４秒、１／８秒、１／１５秒、１／３０秒、１／６０秒、１／１２５秒、１／２５０秒、１／５００秒、及び１／１０００秒のシャッタ速度を表わしている。Ａは絞り優先自動露出モードを表わし、Ｘはストロボ同調（同調速度は例えば１／１００秒）を表わし、Ｂはバルブを表わしている。さらに、一対の二等辺三角形マークからなる▲▼は、１秒を超える低速シャッタ速度を選定するときの低速シャッタ速度選定ポジションを表わしている。
【０００７】
上記１秒〜１／１０００秒のシャッタ速度、絞り優先自動露出モード、ストロボ同調、バルブ、及び低速シャッタ速度選定ポジションの何れかを選択する場合には、Ｔｖダイヤル１６を回転操作してその選択しようとするシャッタ速度またはモード等の印字を、カメラボディ１０上面のＴｖダイヤル１６近傍に刻印された合わせマーク３０に合わせる。なお図１では、Ｔｖダイヤル１６上のＡが合わせマーク３０に合わせられており、絞り優先自動露出モードが選択された状態にある。
【０００８】
本実施形態のカメラボディ１０では、Ｔｖダイヤル１６に▲▼で示される低速シャッタ速度選定ポジションを設け、Ｔｖダイヤル１６がこのポジション（特定回転位置）にある状態において、この位置からＴｖダイヤル１６の正逆の回転操作の度に、１秒を超える範囲の低速シャッタ速度をアップダウン（増減）させて選択することを可能にしている。即ち、Ｔｖダイヤル１６が▲▼で示される低速シャッタ速度選定ポジションにある状態では、Ｔｖダイヤル１６は、１秒を超える範囲の低速シャッタ速度をアップダウンさせて選択するアップダウンスイッチとして機能する。
【０００９】
Ｔｖダイヤル１６の回転中心には、ダイヤルロック解除釦４０が設けられている。Ｔｖダイヤル１６が該ダイヤル上のＡを合わせマーク３０に合わた図１に示す回転位置にあるときは、Ｔｖダイヤル１６の回転はロックされている。また、Ｔｖダイヤル１６が該ダイヤル上の▲▼を合わせマーク３０に合わた回転位置にあるときは、隣接する回転位置（１秒を選定する回転位置またはＢを選定する回転位置）へのＴｖダイヤル１６の回転はロックされている。Ｔｖダイヤル１６の回転ロックは、ダイヤルロック解除釦４０を押下した状態で解除される。ダイヤルロック解除釦４０の内部には、該ダイヤルロック解除釦４０を自己復帰させるコイルばね４０ａが縮設されている。またＴｖダイヤル１６の周囲には、その外周面が凹凸状に形成された滑り止めバンド２５が嵌合している。
【００１０】
Ｔｖダイヤル１６は、カメラボディ１０上に形成されたＴｖダイヤルマウント部１００上に備わっている（図６参照）。Ｔｖダイヤル１６の底部には回転軸部１６ａが一体に備わっており、この回転軸部１６ａがＴｖダイヤルマウント部１００の略中央に形成された断面円形の係合孔１０１に回動自在に嵌まっている。
【００１１】
Ｔｖダイヤルマウント部１００の係合孔１０１の周囲には、Ｔｖダイヤル１６裏面に形成された周方向溝１６ｂ内に嵌まる環状凸部１０２が形成されている。環状凸部１０２の上面と周方向溝１６ｂの底面の間には、バネ鋼からなるリング状のクリック板５０（図５参照）が挟持されている。クリック板５０には、同形状の１２個のクリックボール係入孔５１（５１ａ〜５１ｌ）と、略ひし形のクリックボール係入孔５２が周方向に沿って形成されている。クリックボール係入孔５２は、クリック板５０の周方向に沿った長さがクリックボール６１（図６参照）の直径より大きく構成されている。
【００１２】
さらにクリック板５０には、クリックボール係入孔５１ｉとクリックボール係入孔５１ｊの間に、径方向内側に開放された第１係合溝５３が形成され、またクリックボール係入孔５１ｌとクリックボール係入孔５２の間に、径方向外側に開放された第２係合溝５４が形成されている。第１係合溝５３の開放側端部は、Ｔｖダイヤル１６の裏面内部に形成された位置合わせ用の第１係合突起１６ｃに係合し、第２係合溝５４の開放側端部は、Ｔｖダイヤル１６の裏面内部に形成された位置合わせ用の第２係合突起１６ｄに係合する。これによってＴｖダイヤル１６に対するクリック板５０の位置決めがなされ、Ｔｖダイヤル１６とクリック板５０は一体に回転する。第１係合溝５３と第２係合溝５４の各閉端部は、各クリックボール係入孔５１ａ〜５１ｌと同様に機能する。クリック板５０がＴｖダイヤル１６に対して適切に位置決めされた状態において、クリックボール係入孔５１ａ，５１ｂ，５１ｃ，５１ｄ，５１ｅ，５１ｆ，５１ｇ，５１ｈ，５１ｉ，５１ｊ，５１ｋ，５１ｌは、Ｔｖダイヤル１６上に印字Ｂ，Ｘ，Ａ，１００，５００，２５０，１２５，６０，３０，８，４，２にそれぞれ対応する周方向位置にあり、第１係合溝５３と第２係合溝５４はＴｖダイヤル１６上に印字１５，１にそれぞれ対応する周方向位置にあり、さらに略ひし形のクリックボール係入孔５２は、Ｔｖダイヤル１６上の印字▲▼に対応する周方向位置にある。
【００１３】
Ｔｖダイヤルマウント部１００の環状凸部１０２には、縮設されたコイルバネ５９によって上方へ常時付勢されたクリックボール６１が設けられている（図６参照）。クリックボール６１は、クリック板５０に形成されたクリックボール係入孔５１ａ，５１ｂ，５１ｃ，５１ｄ，５１ｆ，５１ｇ，５１ｈ，５１ｉ，５１ｊ，５１ｋ，５１ｌ、クリックボール係入孔５２、第１係合溝５３、及び第２係合溝５４のいずれかに係入する。したがって、Ｔｖダイヤル１６を回転操作するとき、Ｔｖダイヤル１６上の複数ある印字の各位置でクリックストップする。
【００１４】
Ｔｖダイヤルマウント部１００の係合孔１０１は、カメラボディ１０内部と連通しており、Ｔｖダイヤル１６の回転軸部１６ａは、カメラボディ１０内部まで延びている。回転軸部１６ａの下端には、銅箔からなる所定のコードパターン６２がその裏面にプリントされたコード円板６０が固定ネジ５６を介して固定されている。図７中、ハッチング部分がコードパターン６２を示している。コード円板６０の周方向に沿って形成されコードパターン６２には、Ｔｖダイヤルマウント部１００の底板１０３に固定されたブラシ６３が接触している。ブラシ６３は、プリント配線板（図示せず）を介して、カメラボディ１０内に設けられたＣＰＵ（図示せず）に電気的に接続されている。これらコードパターン６２とブラシ６３によってＴｖダイヤル１６の回転位置が検出される。
【００１５】
Ｔｖダイヤル１６を回転させて▲▼（低速シャッタ速度選定ポジション）を合わせマーク３０に合わせると、クリックボール係入孔５２にクリックボール６１が係入する。このとき、クリックボール６１はクリックボール係入孔５２の中央（特定回転位置）に位置する。この状態から、Ｔｖダイヤル１６に正逆の所定角度（本実施形態では正逆各回転方向で略１０°）内の回転操作力を与えた後この回転操作力を解放すると、クリックボール６１は、クリックボール係入孔５２の形状によりクリックボール係入孔５２の中央に自動復帰する。
【００１６】
クリックボール６１がクリックボール係入孔５２の中央に位置する状態から、Ｔｖダイヤル１６に正逆の上記所定角度内の回転を与えると、コードパターン６２とブラシ６３によって、Ｔｖダイヤル１６の正逆の回転操作が検出される。したがって、Ｔｖダイヤル１６で▲▼（低速シャッタ速度選定ポジション）が選択されているとき、Ｔｖダイヤル１６は、正逆の回転操作の度に動作するアップダウンスイッチとして機能する。本実施形態では、Ｔｖダイヤル１６を回転操作して▲▼（低速シャッタ速度選定ポジション）が選択されているとき、２秒、３秒、４秒、５秒、６秒、７秒、８秒、９秒及び１０秒のシャッタ速度のいずれかを選択できるようになっている。即ち、Ｔｖダイヤル１６を回転操作して▲▼（低速シャッタ速度選定ポジション）を合わせマーク３０に合わせた直後は２秒のシャッタ速度が選択され、その後Ｔｖダイヤル１６に上記所定角度内で正方向（図１では反時計回り方向）の回転を与える毎にシャッタ速度が１秒ずつ増加し、逆方向（図１では時計回り方向）の回転を与える毎にシャッタ速度が１秒ずつ減少する。
【００１７】
Ｔｖダイヤル１６を回転操作して▲▼（低速シャッタ速度選定ポジション）以外の印字を合わせマーク３０に合わせた場合には、従来のＴｖダイヤルのようにその印字が表わすシャッタ速度またはモード等が設定される。つまりＴｖダイヤル１６を回転操作して５００を合わせマーク３０に合わせれば１／５００秒のシャッタ速度が設定され、Ａを合わせマーク３０に合わせれば絞り優先自動露出モードが設定される。
【００１８】
以上のように、本発明の撮影条件選定装置を適用したカメラボディ１０では、Ｔｖダイヤル１６が特定の回転位置（▲▼を合わせマークに合わせた回転位置）にある状態ではＴｖダイヤル１６がアップダウンスイッチとして機能するので、Ｔｖダイヤル１６を回転操作することによって多数のシャッタ速度から希望のシャッタ速度を容易に選択することができる。よってＴｖダイヤル１６によるシャッタ速度選択操作によりカメラの操作性を損なうことはない。また、Ｔｖダイヤル１６がアップダウンスイッチを兼ねるので、少ない構成部品で低速シャッタ速度選択用のアップダウンスイッチが実現されている。
【００１９】
上記実施形態では、Ｔｖダイヤル１６により低速シャッタ速度選定ポジションが選択されているとき、２秒、３秒、４秒、５秒、６秒、７秒、８秒、９秒及び１０秒のいずれかのシャッタ速度を選択できる構成としたが、選択できるシャッタ速度及びシャッタ速度の数はこれらのみに限定されず、また増減されるシャッタ速度は等秒間隔でなくてもよい。
【００２０】
また上記実施形態では、低速シャッタ速度選定ポジションが選択されているとき、Ｔｖダイヤル１６を操作することで１秒を超える低速側のシャッタ速度を設定できる構成としたが、高速側のシャッタ速度を設定できる構成にしても良い。例えば、Ｔｖダイヤル１６により▲▼が選択されているとき、１／１５００秒、１／２０００秒、１／２５００秒、１／３０００秒、１／３５００秒、及び１／４０００秒のいずれかのシャッタ速度を選択できる構成にしてもよい。
【００２１】
また上記実施形態では、Ｔｖダイヤル１６がアップダウンスイッチとして機能する回転位置を一箇所しか設けていないが、複数箇所設ける構成にしてもよい。例えば、▲▼の回転位置を２つ設け、一つを低速シャッタ速度選定ポジションとし、他の一つを高速シャッタ速度選定ポジションとしてもよい。
【００２２】
上記実施形態ではＴｖダイヤル１６にアップダウンスイッチの機能を付加したが、露出補正値選定用の露出補正ダイヤル１８に同様のアップダウンスイッチの機能を付加することも可能である。
【００２３】
【発明の効果】
以上のように、本発明を適用したカメラの撮影条件選定装置によれば、選定ダイヤルが特定の回転位置にある状態において、該選定ダイヤルに正逆の所定角度内の回転操作力を与えた後この回転操作力を解放したとき該選定ダイヤルを上記特定回転位置に自動復帰させる自動復帰手段と、選定ダイヤルの上記特定回転位置からの正逆の回転操作の度に動作するアップダウンスイッチとを有し、選定ダイヤルは、上記特定回転位置を含む予め定められた複数の回転位置の各々に位置することができ、該選定ダイヤルが上記特定回転位置以外の回転位置にあるときは、その回転位置に応じた撮影条件が選定され、自動復帰手段は、クリックボールと、上記複数の回転位置にそれぞれ対応する複数のクリックボール係入孔を有するクリック板とを有し、これら複数のクリックボール係入孔のうち、選定ダイヤルが上記特定回転位置にあるときに上記クリックボールが係入するクリックボール係入孔は、略ひし型形状の係入孔である構成にしたので、多くの構成部品を必要とせず、カメラの操作性を損なうことなく、かつ選定ダイヤルの限られたスペースで多数の撮影条件から希望の撮影条件を容易に選択することができる。
【図面の簡単な説明】
【図１】本発明を適用したカメラボディのＴｖダイヤル及びその周辺部を示す平面図である。
【図２】Ｔｖダイヤルを示す上面図である。
【図３】同Ｔｖダイヤルを示す側面図である。
【図４】同Ｔｖダイヤルを示す底面図である。
【図５】クリック板を示す平面図である。
【図６】Ｔｖダイヤル及びその周辺部を示す縦断面図である。
【図７】Ｔｖダイヤルに固定のコード円板上に形成されたコードパターン及び該コードパターンに接触するブラシを示す平面図である。
【図８】本発明の撮影条件選定装置を適用したカメラの斜視外観図である。
【符号の説明】
１０  カメラボディ
１６  Ｔｖダイヤル
１８  露出補正ダイヤル
３０  合わせマーク
４０  ダイヤルロック解除釦
５０  クリック板
５１  クリックボール係入孔
５２  クリックボール係入孔
５３  第１係合溝
５４  第２係合溝
５９  コイルバネ
６０  コード円板
６１  クリックボール
６２  コードパターン
６３  ブラシ
１００  Ｔｖダイヤルマウント部
【図１】
0004199354.tif 000002
【図２】
0004199354.tif 000003
【図３】
0004199354.tif 000004
【図４】
0004199354.tif 000005
【図５】
0004199354.tif 000006
【図６】
0004199354.tif 000007
【図７】
0004199354.tif 000008
【図８】
0004199354.tif 000009